(57)【要約】【課題】無線リンクを多段接続した場合に、無線帯域を圧迫することなく、障害発生箇所を迅速に特定する。【解決手段】多段接続の接続構成を把握及び記憶した上で、通常の定期ポーリングでは、複数の無線リンクから構成される無線システムのうち、最下段の無線リンクに搭載されているエージェント部とのみ監視ポーリングを行い、応答が無かった場合には割込みポーリングにより最下段の無線リンク以外の全ての無線リンクに対して監視ポーリングを行う。また、割込みポーリングにおいて、無線システム内のトラヒックを考慮した監視ポーリングを行う。更に定期ポーリングで応答が無かった場合には、直ぐに割込みポーリングを行うのではなく、従前の定期ポーリング結果を参照することで、その後の監視ポーリング方法を選択する。【選択図】図４
2009147514.tif 000002
【特許請求の範囲】
【請求項１】
基地局と複数の加入者局から構成される無線リンクを多段接続した無線通信システムにおける監視ポーリングの方法であって、
前記無線通信システムの最下段の無線リンクに対してのみ監視ポーリングを行う定期ポーリングステップと、
前記最下段の無線リンクの監視ポーリングに対する応答がなかった場合、前記最下段の無線リンク以外の全ての無線リンクに対して監視ポーリングを行う割込みポーリングステップと、
を有することを特徴とする監視ポーリングの方法。
【請求項２】
前記割込みポーリングステップは、
前記最下段の無線リンクの監視ポーリングに対する応答がなく、かつ該監視ポーリングの直前の監視ポーリングに対する応答があった場合、前記最下段の無線リンク以外の全ての無線リンクに対して監視ポーリングを行うステップであることを特徴とする請求項１に記載の監視ポーリングの方法。
【請求項３】
前記割込みポーリングステップは、
前記最下段の無線リンクの監視ポーリングに対する応答がなかった場合、
前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うステップであることを特徴とする請求項１に記載の監視ポーリングの方法。
【請求項４】
前記割込みポーリングステップは、
前記最下段の無線リンクの監視ポーリングに対する応答がなく、かつ該監視ポーリングの直前の監視ポーリングに対する応答があった場合、
前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うステップであることを特徴とする請求項１に記載の監視ポーリングの方法。
【請求項５】
基地局と複数の加入者局から構成される無線リンクを多段接続した無線通信システムにおける監視制御装置であって、
前記無線通信システムを構成する無線リンクの接続構成を入力するための入出力部と、
前記入出力部から入力された前記無線リンクの接続構成を記憶する記憶部と、
前記基地局及び前記加入者局と監視制御網を介して通信する通信処理部と、
前記無線リンクの接続構成に登録された最下段の無線リンクに対してのみ監視ポーリングを行い、該監視ポーリングの応答がなかった場合、前記最下段の無線リンク以外の全ての無線リンクに対して監視ポーリングを行う監視制御部と、
を含むことを特徴とする監視制御装置。
【請求項６】
前記記憶部は、従前の監視ポーリングの結果をさらに記憶する記憶部であり、
前記監視制御部は、前記最下段の無線リンク対してのみ監視ポーリングを行い、前記最下段の無線リンクの監視ポーリングに対する応答がなく、かつ前記記憶部に記憶された直前の監視ポーリングの応答があった場合、前記最下段の無線リンク以外の全て無線リンクに対して監視ポーリングを行うことを特徴とする請求項５に記載の監視制御装置。
【請求項７】
前記無線通信システム内のトラヒック量を収集し、該トラヒック量と閾値を比較するトラヒック判定部をさらに含み、
前記監視制御部は、前記最下段の無線リンクに対してのみ監視ポーリングを行い、前記最下段の無線リンクの監視ポーリングに対する応答がなかった場合、
前記トラヒック判定部の比較の結果、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うことを特徴とする請求項５に記載の監視制御装置。
【請求項８】
前記無線通信システム内のトラヒック量を収集し、該トラヒック量と閾値を比較するトラヒック判定部をさらに含み、
前記記憶部は、従前の監視ポーリングの結果をさらに記憶する記憶部であり、
前記監視制御部は、前記最下段の無線リンク対してのみ監視ポーリングを行い、前記最下段の無線リンクの監視ポーリングに対する応答がなく、かつ前記記憶部に記憶された直前の監視ポーリングの応答があった場合、
前記トラヒック判定部の比較の結果、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うことを特徴とする請求項５に記載の監視制御装置。
【発明の詳細な説明】
【技術分野】
【０００１】
本発明は、１の基地局と複数の加入者局から構成される無線リンクを直列に接続した構成（多段接続した構成）の無線通信システムの保守運用にかかるポーリング方法及び監視制御装置に関する。
【背景技術】
【０００２】
従来の無線リンクを多段接続した場合の無線通信システムにおける監視方法について、図１、図２、及び図３に示す。
【０００３】
基地局及び加入者局から構成されるＰ−ＭＰ型、Ｐ−Ｐ型無線アクセスシステムにおいて、当該システムを遠隔から監視するための監視制御装置と通信を行うために、Ｐ−ＭＰ型であれば基地局、Ｐ−Ｐ型であれが主局の加入者局にエージェント部を搭載し、監視制御装置のマネージャ部と監視信号の送受信を行っている（図１）。
【０００４】
さらに、Ｐ−ＭＰ型あるいはＰ−Ｐ型のシステムを多段接続し無線リンク数を増やすことで、より遠方のエリアに対しても、サービス提供を行うことが容易かつ経済的に可能となる。
【０００５】
その場合、多段接続されている各無線リンクは、それぞれのリンク毎にエージェント部を搭載し、管理制御装置のマネージャ部と監視信号の送受信（監視ポーリング）を行っている。
【０００６】
そのため、無線リンク数が増えるに従って上段側の無線リンクに伝送される監視信号が増加する。つまり無線リンクがＮ個接続されている場合は、最上段の無線リンクに伝送される監視信号は、Ｎ−１個の無線リンク分だけ増加することになる（図２）。
【０００７】
よって、無線リンク数が増えるに従って無線帯域におけるユーザ信号を伝送可能な帯域が減少することになる。
【０００８】
また、特許文献１では、監視信号による無線帯域の占有の増加を防止するため、定期的な監視ポーリングは複数接続された無線リンクのうち代表の無線リンクに対してのみ行い、応答がなかった場合には、順番に各無線リンクに対して監視ポーリングを行うことで監視を行っている（図３）。
【０００９】
【特許文献１】特許第３１８０７７０号公報
【発明の開示】
【発明が解決しようとする課題】
【００１０】
無線リンクを多段接続した場合に、監視制御装置のマネージャ部から無線リンクの各エージェント部に対して監視ポーリングを行うため、最上段の無線リンクには多段接続された他の無線リンクの監視ポーリング情報が伝送されることになり、無線帯域を圧迫することになる。また、無線帯域の圧迫を防止するため、無線リンク内のうち代表の無線リンクに対して定期ポーリングを行い、応答がなかった場合には順番に各無線リンクにポーリングを行うことになるが定期ポーリングの周期が長い場合には、障害発生箇所の特定に時間を要することになる。
【００１１】
本発明は、以上の課題を解決する無線通信システムにおける監視ポーリング方法及び監視制御装置を提供することを目的とする。
【課題を解決するための手段】
【００１２】
上記課題を解決するため、本発明の監視ポーリングの方法は、基地局と複数の加入者局から構成される無線リンクを多段接続した無線通信システムにおける監視ポーリングの方法であって、前記無線通信システムの最下段の無線リンクに対してのみ監視ポーリングを行う定期ポーリングステップと、前記最下段の無線リンクの監視ポーリングに対する応答がなかった場合、前記最下段の無線リンク以外の全ての無線リンクに対して監視ポーリングを行う割込みポーリングステップとを有する。
【００１３】
また、前記割込みポーリングステップは、前記最下段の無線リンクの監視ポーリングに対する応答がなく、かつ該監視ポーリングの直前の監視ポーリングに対する応答があった場合、前記最下段の無線リンク以外の全て無線リンクに対して監視ポーリングを行うステップであることも好ましい。
【００１４】
また、前記割込みポーリングステップは、前記最下段の無線リンクの監視ポーリングに対する応答がなかった場合、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うステップであることも好ましい。
【００１５】
また、前記割込みポーリングステップは、前記最下段の無線リンクの監視ポーリングに対する応答がなく、かつ該監視ポーリングの直前の監視ポーリングに対する応答があった場合、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うステップであることも好ましい。
【００１６】
上記課題を解決するため、本発明の監視制御装置は、基地局と複数の加入者局から構成される無線リンクを多段接続した無線通信システムにおける監視制御装置であって、前記無線通信システムを構成する無線リンクの接続構成を入力するための入出力部と、前記入出力部から入力された前記無線リンクの接続構成を記憶する記憶部と、前記基地局及び前記加入者局と監視制御網を介して通信する通信処理部と、前記無線リンクの接続構成に登録された最下段の無線リンクに対してのみ監視ポーリングを行い、該監視ポーリングの応答がなかった場合、前記最下段の無線リンク以外の全ての無線リンクに対して監視ポーリングを行う監視制御部とを含む。
【００１７】
また、前記記憶部は、従前の監視ポーリングの結果をさらに記憶する記憶部であり、前記監視制御部は、前記最下段の無線リンク対してのみ監視ポーリングを行い、前記最下段の無線リンクの監視ポーリングに対する応答がなく、かつ前記記憶部に記憶された直前の監視ポーリングの応答があった場合、前記最下段の無線リンク以外の全て無線リンクに対して監視ポーリングを行うことも好ましい。
【００１８】
また、前記無線通信システム内のトラヒック量を収集し、該トラヒック量と閾値を比較するトラヒック判定部をさらに含み、前記監視制御部は、前記最下段の無線リンクに対してのみ監視ポーリングを行い、前記最下段の無線リンクの監視ポーリングに対する応答がなかった場合、前記トラヒック判定部の比較の結果、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うことも好ましい。
【００１９】
また、前記無線通信システム内のトラヒック量を収集し、該トラヒック量と閾値を比較するトラヒック判定部をさらに含み、前記記憶部は、従前の監視ポーリングの結果をさらに記憶する記憶部であり、前記監視制御部は、前記最下段の無線リンク対してのみ監視ポーリングを行い、前記最下段の無線リンクの監視ポーリングに対する応答がなく、かつ前記記憶部に記憶された直前の監視ポーリングの応答があった場合、前記トラヒック判定部の比較の結果、前記無線通信システム内のトラヒック量が閾値未満である時には、これまで監視ポーリングを行っていない全ての無線リンクに対して監視ポーリングを行い、前記無線通信システム内のトラヒック量が閾値以上である時には、これまで監視ポーリングを行っていない無線リンクのうち最も下段の無線リンクに対して監視ポーリングを行うことを、最上段の無線リンクに至るまで行うことも好ましい。
【発明の効果】
【００２０】
多段接続された無線アクセスシステムでは、各無線リンクのエージェント部と監視制御装置のマネージャ部が監視信号の送受信を定期的に行うため、最上段の無線リンクに伝送される監視信号は無線リンク数をＮとするとＮ−１個の無線リンク分だけ増加することになり、無線リンクが増えるに従って、無線帯域におけるユーザ信号を伝送可能な帯域が減少してしまう。
【００２１】
本発明は、多段接続の接続構成を把握及び記憶した上で、通常の定期ポーリングでは、複数の無線リンクから構成される無線システムのうち、最下段の無線リンクに搭載されているエージェント部とのみ監視ポーリングを行い、応答が無かった場合には割込みポーリングにより最下段の無線リンク以外の全ての無線リンクに対して監視ポーリングを行うことで迅速に障害箇所の特定を行うことができ、また割込みポーリングにおいて、無線システム内のトラヒックを考慮した監視ポーリングを行うことで、ユーザ信号の帯域を圧迫せずに障害箇所の特定を行うことができ、更に定期ポーリングで応答が無かった場合には、直ぐに割込みポーリングを行うのではなく、従前の定期ポーリング結果を参照することで、その後の監視ポーリング方法を選択することにより一層効率的な障害箇所の特定を行うことができるといった効果を有する。
【発明を実施するための最良の形態】
【００２２】
図４及び図５で、多段接続における監視ポーリングによる無線帯域の圧迫を軽減する監視方法についての概要を説明する。
【００２３】
基地局または主局の加入者局から構成される無線リンクを複数接続した無線アクセスシステムにおいて、各無線リンクの基地局または主局の加入者局はエージェント部を備えている。各無線リンクのエージェント部は、自リンク内で障害を検出した場合は、自律メッセージを監視制御装置のマネージャ部に対して送出する。ただし、本自律メッセージは、監視制御装置との間の通信路等の状態によっては欠落する場合があり、また、エージェント部を備えた装置の電源故障やエージェント部自身の故障の場合は、監視制御装置のマネージャ部に対して自律メッセージを送出できないため、監視不能となる。そのため、自律メッセージによる監視を補完するために監視制御装置のマネージャ部から各エージェント部に状態問い合わせ（ポーリング）を行うことで、監視の信頼性を高めている。
【００２４】
本ポーリングによる監視において、無線リンクを多段接続した無線アクセスシステムでは、各無線リンクを監視するために監視制御装置から各無線リンクの基地局または主局の加入者局に搭載されてエージェント部に状態問い合わせを行う際に、無線アクセスシステムの多段接続（無線リンク数をＮとする）された各無線リンクの接続関係を記憶しておき、当該記憶された多段接続構成を踏まえて監視ポーリングを行う。具体的には、監視ポーリングのうち、通常は定期的に無線システムの状態把握を行うための定期ポーリングを実施するが、その際に無線区間の帯域を有効活用するために多段接続された無線リンクの最下段（他の無線リンクの監視信号が重畳されていない無線リンクのことをいう。以下同じ。）である無線リンクＮのエージェント部に対してのみ定期ポーリングを実施する。
【００２５】
本定期ポーリングにおいて応答がなかった場合には、無線アクセスシステムのある区間で何らかの障害が発生したと考えられるが、その場合はそれまで行っていた定期ポーリングではなく、割込みポーリングを実施する。
【００２６】
割込みポーリングの方法としていくつか考えられる。
【００２７】
まず第１の方法として、定期ポーリングを行っていた無線リンク以外の全ての無線リンクのエージェント部に対して同時に割込みポーリングを行う方法がある。これにより、障害発生箇所を迅速に特定できることになる（図４）。
【００２８】
第２の方法として、無線システム内のトラヒックを考慮して割込みポーリングの方法を選択する方法がある。具体的には、無線システム内のトラヒックがある閾値未満であれば、定期ポーリングを行っていた無線リンク以外の全ての無線リンクのエージェント部に対して同時に割込みポーリングを行う。一方、無線システム内のトラヒックがある閾値以上であれば、定期ポーリングを行った無線システム内の最下段の無線リンクの１つ上段の無線リンクに対してのみ割込みポーリングを行う。その場合、当該無線リンクの応答があれば定期ポーリングに遷移するが、応答がなければ再度トラヒック情報を参照し割込みポーリングの方法を選択することとし、最終的に障害発生箇所が特定されるまで継続される（図５）。
【００２９】
第３の方法として、従前の定期ポーリング結果を参照し、従前の定期ポーリングの応答がなかった場合には、既に従前の割込みポーリングで障害箇所の特定は完了しているため、再度の割込みポーリングは行わず、定期ポーリングを継続することとし、従前の定期ポーリングの応答があった場合、あるいは従前の結果がなにもない場合には、割込みポーリングを行う。
【００３０】
本発明を実現する監視制御装置について、図６で説明する。
【００３１】
監視制御装置１には、無線システムを構成する各無線リンクの接続構成を入力するための入出力部１１、当該入出力部１１から入力された無線リンクの接続構成や従前の定期ポーリングの結果を記憶する記憶部１２、監視対象装置である基地局及び加入者局に搭載されたエージェント部と監視制御網を介して通信する通信処理部１４、各無線通信システム内のトラヒック量を収集・判定するトラヒック判定部１３、これらの入出力部１１〜通信処理部１４を制御し上記の監視方法を実現する監視制御部１５から構成される。
【００３２】
図７、図８、図９及び図１０に本発明の第１、第２、第３及び第４の実施形態による監視方法のフローを示す。
【００３３】
第１の実施形態の監視ポーリングのフローについて、図７で説明する。
【００３４】
まず事前準備として、監視制御装置１内の記憶部１２に無線アクセスシステムの無線リンク数とそれぞれのリンクの接続関係を登録する。例えば、リンク数はＮ（Ｎ＝１、２、３、・・・、Ｎ）、接続関係はリンク１が最上段で、リンク２が最上段から１つ下段のリンク、・・・、リンクＮが最下段、といった情報について入出力部１１を介して記憶部１２に登録する。監視制御部１５では、記憶部１２に登録された無線アクセスシステムに対して、定期ポーリングを行うが、この際、最下段のリンクＮに対してのみ、ポーリングを実施する。
【００３５】
リンクＮに対する監視ポーリングの応答があれば、定期ポーリングを継続する。一方、リンクＮに対する監視ポーリングの応答が無ければ、割込みポーリングとしてリンクＮを除く全ての無線リンクに対して監視ポーリングを行い、その後、定期ポーリングに移行する。
【００３６】
第２の実施形態の監視ポーリングのフローについて、図８で説明する。
【００３７】
まず事前準備として、監視制御装置１内の記憶部１２に無線アクセスシステムの無線リンク数とそれぞれのリンクの接続関係を登録する。例えば、リンク数はＮ（Ｎ＝１、２、３、・・・、Ｎ）、接続関係はリンク１が最上段で、リンク２が最上段から１つ下段のリンク、・・・、リンクＮが最下段、といった情報について入出力部１１を介して記憶部１２に登録する。監視制御部１５では、記憶部１２に登録された無線アクセスシステムに対して、定期ポーリングを行うが、この際、最下段のリンクＮに対してのみ、ポーリングを実施する。
【００３８】
リンクＮに対する監視ポーリングの応答が有れば、定期ポーリングを継続する。一方、リンクＮに対する監視ポーリングの応答が無ければ、前回の定期ポーリングの結果を参照し、その後の監視ポーリング方法を選択する。具体的には、監視制御装置１のマネージャ部の記憶部１２を参照し、前回の定期ポーリング結果が応答無しであった場合には、既に割込みポーリングによる障害箇所の切り分けが完了しているため、改めて割込みポーリングに移行せずに、定期ポーリングを継続する。一方、前回の定期ポーリングの結果が応答無し以外、つまり応答有りの場合や前回の監視ポーリング結果が無い場合には、割込みポーリングを行う。これにより、無線システム内の障害発生箇所を迅速に特定することが可能となる。
【００３９】
第３の実施形態の監視ポーリングのフローについて、図９で説明する。
【００４０】
まず事前準備として、監視制御装置１内の記憶部１２に無線アクセスシステムの無線リンク数とそれぞれのリンクの接続関係を登録する。例えば、リンク数はＮ（Ｎ＝１、２、３、・・・、Ｎ）、接続関係はリンク１が最上段で、リンク２が最上段から１つ下段のリンク、・・・、リンクＮが最下段、といった情報について入出力部１１を介して記憶部１２に登録する。監視制御部１５では、記憶部１２に登録された無線アクセスシステムに対して、定期ポーリングを行うが、この際、最下段のリンクＮに対してのみ、ポーリングを実施する。
【００４１】
リンクＮに対する監視ポーリングの応答が有れば、定期ポーリングを継続する。一方、リンクＮに対する監視ポーリングの応答が無ければ、割込みポーリングを行う。具体的には、監視制御装置１のマネージャ部に搭載されたトラヒック判定部１３において、割込みポーリングを行う直前の無線システム内のトラヒック量がある閾値未満（閾値自体は任意のパラメータ）であれば、無線システム内のリンクＮを除く全ての無線リンクのエージェント部に対して割込みポーリングを実施し、その後、定期ポーリングに移行する。一方、無線システム内のトラヒック量がある閾値以上であれば、リンクＮの１つ上段のリンクＮ−１のエージェント部に対してのみ割込みポーリングを実施し、応答があれば、定期ポーリングに移行する。応答が無ければ次回の監視ポーリングにおいて、監視ポーリングを行う直前の無線システム内のトラヒック量がある閾値未満であれば、無線システム内のリンクＮ及びリンクＮ−１を除く全ての無線リンクのエージェント部に対して割込みポーリングを実施し、その後、定期ポーリングに移行する。一方、無線システム内のトラヒック量がある閾値以上であれば、リンクＮ−１の１つ上段のリンクＮ−２のエージェント部に対してのみ割込みポーリングを実施し、応答があれば定期ポーリングに移行する。応答が無ければ次回の監視ポーリングにおいて、監視ポーリング直前の無線システム内のトラヒック量に応じて、順次その後の割込みポーリング方法を選択する。トラヒック量がある閾値以上のため、リンクＮ−１から順番にリンク２までの各リンクに対し割込みポーリングを実施し、最後のリンク１に対する割込みポーリングを行った後、定期ポーリングに移行する。これにより、無線システム内のトラヒック量を考慮した監視方法が実現できる。
【００４２】
第４の実施形態の監視ポーリングのフローについて、図１０で説明する。
【００４３】
まず事前準備として、監視制御装置１内の記憶部１２に無線アクセスシステムの無線リンク数とそれぞれのリンクの接続関係を登録する。例えば、リンク数はＮ（Ｎ＝１、２、３、・・・、Ｎ）、接続関係はリンク１が最上段で、リンク２が最上段から１つ下段のリンク、・・・、リンクＮが最下段、といった情報について入出力部１１を介して記憶部１２に登録する。監視制御部１５では、記憶部１２に登録された無線アクセスシステムに対して、定期ポーリングを行うが、この際、最下段のリンクＮに対してのみ、ポーリングを実施する。
【００４４】
リンクＮに対する監視ポーリングの応答が有れば、定期ポーリングを継続する。一方、リンクＮに対する監視ポーリングの応答が無ければ、前回の定期ポーリングの結果を参照し、その後の監視ポーリング方法を選択する。具体的には、監視制御装置１のマネージャ部の記憶部１２を参照し、前回の定期ポーリング結果が応答無しであった場合には、既に割込みポーリングによる障害箇所の切り分けが完了しているため、改めて割込みポーリングに移行せずに、定期ポーリングを継続する。一方、前回の定期ポーリングの結果が応答無し以外、つまり応答有りの場合や前回の監視ポーリング結果が無い場合には、割込みポーリングを行う。具体的には、監視制御装置１のマネージャ部に搭載されたトラヒック判定部１３において、割込みポーリングを行う直前の無線システム内のトラヒック量がある閾値未満（閾値自体は任意のパラメータ）であれば、無線システム内のリンクＮを除く全ての無線リンクのエージェント部に対して割込みポーリングを実施し、その後、定期ポーリングに移行する。一方、無線システム内のトラヒック量がある閾値以上であれば、リンクＮの１つ上段のリンクＮ−１のエージェント部に対してのみ割込みポーリングを実施し、応答があれば、定期ポーリングに移行する。応答が無ければ次回の監視ポーリングにおいて、監視ポーリングを行う直前の無線システム内のトラヒック量がある閾値未満であれば、無線システム内のリンクＮ及びリンクＮ−１を除く全ての無線リンクのエージェント部に対して割込みポーリングを実施、その後、定期ポーリングに移行する。一方、無線システム内のトラヒック量がある閾値以上であれば、リンクＮ−１の１つ上段のリンクＮ−２のエージェント部に対してのみ割込みポーリングを実施し、応答があれば、定期ポーリングに移行する。応答が無ければ次回の監視ポーリングにおいて、監視ポーリング直前の無線システム内のトラヒック量に応じて、順次その後の割込みポーリング方法を選択する。トラヒック量がある閾値以上のため、リンクＮ−１から順番にリンク２までの各リンクに対し割込みポーリングを実施し、最後のリンク１に対する割込みポーリングを行った後、定期ポーリングに移行する。これにより、無線システム内のトラヒック量を考慮し、更に従前の監視ポーリング状態を考慮した効率的な監視方法が実現できる。
【００４５】
なお、図８、１０において、前回の定期ポーリング結果が「応答無」の場合に、最下段のリンクＮに対する定期ポーリングを実行するのは、この時点では、既に、割込みポーリングによって故障箇所の特定ができているため、その後、故障箇所が復旧した場合に、定期ポーリング結果の応答が正常となることで、当該故障の復旧を確認できるようにするためである。
【００４６】
また、以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００４７】
【図１】無線アクセスシステムの構成を示す。
【図２】従来の多段接続された無線アクセスシステムの監視方法を示す。
【図３】従来の多段接続された無線アクセスシステムの監視方法を示す。
【図４】本発明の多段接続された無線アクセスシステムの第１の監視方法を示す。
【図５】本発明の多段接続された無線アクセスシステムの第２の監視方法を示す。
【図６】本発明の監視方法を実装した監視制御装置を示す。
【図７】本発明の第１の実施形態による多段接続された無線アクセスシステムの監視方法のフローを示す。
【図８】本発明の第２の実施形態による多段接続された無線アクセスシステムの監視方法のフローを示す。
【図９】本発明の第３の実施形態による多段接続された無線アクセスシステムの監視方法のフローを示す。
【図１０】本発明の第４の実施形態による多段接続された無線アクセスシステムの監視方法のフローを示す。
【符号の説明】
【００４８】
１    監視制御装置
１１  入出力部
１２  記憶部
１３  トラヒック判定部
１４  通信処理部
１５  監視制御部
【図１】
2009147514.tif 000003
【図２】
2009147514.tif 000004
【図３】
2009147514.tif 000005
【図４】
2009147514.tif 000006
【図５】
2009147514.tif 000007
【図６】
2009147514.tif 000008
【図７】
2009147514.tif 000009
【図８】
2009147514.tif 000010
【図９】
2009147514.tif 000011
【図１０】
2009147514.tif 000012